(57)【要約】【課題】  情報処理装置による文字変換処理において、入力文字列に対する語句の予測候補が検索されない場合に、変換操作を行わなくても、表示された変換候補の中から語句を選択できるようにする。【解決手段】  入力された文字列に対し、予測候補記憶領域から１以上の予測候補が検索されたとき（ステップ“Ｓ３”の“ＹＥＳ”）、検索された予測候補を表示して（ステップＳ４）、選択（ステップ“Ｓ５”）及び確定（ステップ“Ｓ６”）することができる。１以上の予測候補が検索されないとき（ステップ“Ｓ３”の“ＮＯ”）、変換候補記憶領域から１以上の変換候補が検索された場合は（ステップ“Ｓ８”の“ＹＥＳ”）、検索された変換候補を表示して（ステップ“Ｓ９”）、選択（ステップ“Ｓ５”）及び確定（ステップ“Ｓ６”）することができる。【選択図】  図３
2006227819.tif 000002
【特許請求の範囲】
【請求項１】
語句の読みを表す文字列を入力することができる入力手段と、
前記入力手段から入力された文字列にしたがって読むことのできる語句の候補を、前記入力された文字列に対応付けて変換候補として記憶する変換候補記憶手段と、
前記入力手段から入力された文字列から予測される語句の候補を、前記入力された文字列に対応付けて予測候補として記憶する予測候補記憶手段と、
少なくとも文字を表示することができる表示手段と、
語句の読みを表す文字列が前記入力手段から入力されたとき、前記入力された文字列に対応付けられた語句の予測候補を前記予測候補記憶手段から検索すると共に検索された予測候補を前記表示手段により表示し、前記検索によって入力された文字列に対応付けられた予測候補が存在しないと判断されたとき前記入力された文字列に対応付けられた語句の変換候補を前記変換候補記憶手段から検索すると共に検索された変換候補を前記表示手段により表示するように制御する制御手段とを
備えたことを特徴とする情報処理装置。
【請求項２】
前記入力手段は１以上の文字入力キーを備えると共に前記文字入力キーの１を押下する回数により異なる文字が入力されるように構成され、前記入力された文字列から予測される語句は、前記入力された文字列又は前記入力された文字列の最後の文字に係る前記文字入力キーの１を重ねて押下することにより得られる文字列を含んで形成されたことを特徴とする請求項１に記載の情報処理装置。
【請求項３】
前記制御手段は、前記入力手段によって入力された文字列から予測され、入力手段によって確定された場合、その確定された予測候補又は変換候補を第１の優先順位として前記予測候補記憶手段に登録すると共に、該予測候補又は変換候補を第１の優先順位の変換候補として前記変換候補記憶手段に登録するように制御することを特徴とする請求項１に記載の情報処理装置。
【発明の詳細な説明】
【技術分野】
【０００１】
本発明は情報処理装置に係り、特に文字変換処理を行う情報処理装置に関する。
【背景技術】
【０００２】
かな漢字変換に代表される文字変換処理は、ワードプロセッサやパーソナルコンピュータだけでなく、携帯電話機や携帯情報端末のような小型携帯用の情報処理装置においても広く用いられている。携帯電話機の場合は多数の文字入力キーを備えることがサイズの制約から困難であるため、同一の文字入力キーを押下する回数により異なる文字を入力する方法が多く用いられている。
【０００３】
文字変換処理の一般的なフローは、次の通りである。情報処理装置の入力部（入力キー等により構成される場合が多い。）から、語句の読みを表す文字列が入力される。入力文字列が１語又は１文節等の適当な単位に区切られ、入力部から変換の指示が入力されると、その単位で漢字かな交じり又は漢字若しくはかなのみから構成される語句に変換される。この変換は、語句の読みを表す文字列に対応する語句の候補が予め記憶された変換候補辞書の検索によって行われる。文字列に対応する語句の変換候補が複数検索された場合には、それらの複数の候補が情報処理装置の表示部に並記されて表示され、表示画面上のカーソルを移動させて適切な候補を選択し確定する操作が行われる。
【０００４】
しかし、携帯電話機のように操作キーの数や表示部の画面サイズが制限された情報処理装置では、より簡便で、少ない操作回数で済む方法が望まれる。このため、入力された文字列が変換されて最終的に得られた語句を予測候補辞書に記憶し、語句の読みを表す文字列又は最初の文字を含む部分的な文字列が入力されると直ちに当該辞書を検索して、予測候補を表示するという方法がとられている。複数の予測候補が検索されたときはそれらが表示部に並記されて表示され、表示画面上のカーソルを移動させて適切な予測候補を選択し確定する操作が行われる。予測候補辞書は、入力された文字列から最終的に得られた語句の情報を学習機能によって累積していくように構成される。
【０００５】
従来の携帯電話機の文字変換処理においては、入力された文字列から検索された予測候補が表示部の候補エリアに一覧表示される。しかし、1以上の予測候補が検索されないときは候補エリアに何も表示されないので、その時点で改めて変換操作をして変換候補を表示させる必要がある。この点は、ワンアクションが余分に必要であるという以上に、使用者が操作の円滑な流れを妨げられたように感じやすいという意味で問題があった。
【０００６】
これに対して、見た目に予測候補と変換候補を区別しないで表示させるという従来技術が知られている（例えば、特許文献１参照。）。この特許文献１に開示された技術は、入力された文字列に対するかな漢字変換と予測候補検索を同時に動作させ、予測候補と変換候補を同時に表示部の候補エリアに表示するというものである。
【特許文献１】特開２００１−３２５２５２号公報（第１、１５ページ、図２０）
【発明の開示】
【発明が解決しようとする課題】
【０００７】
上述した特許文献１に記載された従来の技術は、かな漢字変換と予測候補検索を適応的にリンクさせることにより、操作の円滑な流れを保てるようにしたものである。しかしこの方法では、予測候補と変換候補を表示部の候補エリアに同時に表示させるため、検索された候補の数が多い場合には表示量が過大になって長いスクロールを要し、適切な候補の選択が難しくなりやすいという問題があった。特に予測候補の数が学習機能により多くなると、変換候補から選ぶことが適切である場合にも長いスクロールを経ないとその候補にたどり着けないことがある。
【０００８】
本発明は上記問題を解決するためになされたもので、予測候補と変換候補の表示を円滑な流れで行うことができ、かつ、表示スクロールの手間を小さくすることのできる文字変換を可能とする情報処理装置及び文字変換方法を提供することを目的とする。
【課題を解決するための手段】
【０００９】
上記目的を達成するために、本発明の情報処理装置は、語句の読みを表す文字列を入力することができる入力手段と、前記入力手段から入力された文字列にしたがって読むことのできる語句の候補を、前記入力された文字列に対応付けて変換候補として記憶する変換候補記憶手段と、前記入力手段から入力された文字列から予測される語句の候補を、前記入力された文字列に対応付けて予測候補として記憶する予測候補記憶手段と、少なくとも文字を表示することができる表示手段と、語句の読みを表す文字列が前記入力手段から入力されたとき、前記入力された文字列に対応付けられた語句の予測候補を前記予測候補記憶手段から検索すると共に検索された予測候補を前記表示手段により表示し、前記検索によって入力された文字列に対応付けられた予測候補が存在しないと判断されたとき前記入力された文字列に対応付けられた語句の変換候補を前記変換候補記憶手段から検索すると共に検索された変換候補を前記表示手段により表示するように制御する制御手段とを備えたことを特徴とする。
【発明の効果】
【００１０】
本発明によれば、予測候補が検索されなかった時点で初めて変換候補を表示するので、操作の円滑感を妨げず表示量も過大にならないようにすることができる。
【発明を実施するための最良の形態】
【００１１】
以下、図面を参照して本発明の実施例を説明する。
【実施例１】
【００１２】
以下、図１乃至図７を参照して、本発明の実施例１を説明する。図１は、本発明の実施例１に係る情報処理装置である携帯電話機の外観を表す図である。図中の携帯電話機１は、上筐体１１及び下筐体１２が連結部１３を介して開閉可能に連結されて構成される。図１は上筐体１１及び下筐体１２が開かれた状態を表しており、左側の図が正面図、右側の図が側面図である。
【００１３】
上筐体１１の正面側には、文字と画像を表示することができる表示部１４が設けられている。下筐体１２の正面側には、破線で囲んで表された複数の入力キーからなる入力部１５が設けられている。入力部１５は、十字キー１６及びクリアキー１８を備えている。十字キー１６は、上下左右の４方向に押下することができる。
【００１４】
入力部１５は、ファンクションキー１９及び文字入力キー２０乃至２９を備えている。ファンクションキー１９は、表示画面上に表される機能ボタンの選択入力に用いられる。文字入力キー２０は、数字の「０」五十音わ行、及び「、」「。」「・」「〜」などの記号の文字入力に用いられる。文字入力キー２１は、数字の「１」、五十音あ行、及び「＠」「.」「―」などの記号の文字入力に用いられる。また、文字入力キー２２は数字「２」、五十音か行、及びアルファベット「Ａ」「Ｂ」「Ｃ」の文字入力に用いられる。また、文字入力キー２３乃至２９は同様にして、表記された各数字、五十音各行、及び英数字の文字入力に用いられる。
【００１５】
これらの文字入力キーによりかな文字を入力する場合の操作について、文字入力キー２１を例にとって説明する。文字入力キー２１を１回押下すると「あ」、２回押下すると「い」、３回押下すると「う」、４回押下すると「え」、５回押下すると「お」、６回押下すると「ぁ」と入力され、以降「ぉ」まで入力された後に再度押下されると「あ」が入力される（トグル入力モード）。他の文字入力キーについても同様の操作を行うことができ、五十音の各文字を入力することができる。以上説明したトグル入力モードのほかにも、五十音表と数字キーを対応させ、「１」と「５」のキーが連続して入力されると「お」が入力されるように、数字キーを２つ組み合わせて入力するモードを選択することもできる（ポケベル入力モード）。なお、これらの文字入力キーを用いて、五十音の濁音、拗音、促音等、記号、及び絵文字などを入力することもできるが、それらの操作についての説明は省略する。また、図１に表された携帯電話機１のその他の構成（例えばアンテナ）については、説明を省略する。
【００１６】
図２は、実施例１に係る携帯電話機１のブロック図である。携帯電話機１は例えばマイクロプロセッサからなる制御部３０と、メモリ部３１を備える。メモリ部３１には、文字変換処理に用いる変換候補記憶領域３２と、予測候補記憶領域３３が設けられる。制御部３０は、メモリ部３１、表示部１４及び入力部１５と相互に接続され、携帯電話機１における文字変換処理のフローを制御する。なお、携帯電話機１のその他の構成（例えばアンテナ）は図２では省略している。
【００１７】
図３乃至図５を用いて、携帯電話機１における文字変換処理のフローについて説明する。図３は、実施例１に係る携帯電話機１における文字変換処理のフローチャートである。変換候補記憶領域３２と予測候補記憶領域３３には、それぞれ文字列から検索される語句が辞書として処理の開始前に登録されている。まず変換候補記憶領域３２には、文字列にしたがって読むことのできる語句の候補が、当該文字列に対応付けて変換候補として登録されている。また予測候補記憶領域３３には、文字列又はその文字列から派生する文字列を含んで形成される語句であって、多く用いられることからデフォルトとして選ばれたもの又は学習の結果獲得されたものの候補が、当該文字列に対応付けて予測候補として登録されている。ここで「予測」とは、入力された文字列に対応付けて登録されている予測候補を、当該文字列が入力されたとき予測候補記憶領域３３から検索することをいう。
【００１８】
ここで文字列から派生する文字列とは、その文字列の最後の文字に係る文字入力キーを重ねて押下することにより得られる文字列をいう。例えば「やま」という２文字からなる文字列の最初の文字「や」からなる部分文字列（文字入力キー２８を１回押下して入力される）に対し、「や」乃至「や」行の他の文字から始まる語句（例えば「止む」「夜に」「予定」など）への変換の結果が学習されていた場合は、「や」に対して「止む」「夜に」「予定」が派生し予測候補として登録される。さらにこの状態から文字「ま」が文字入力キー２７を１回押下して、文字列「やま」が入力される。文字入力キー２７を重ねて押下して得た文字列「やみ」の「闇」への変換や、「やむ」の「止む」への変換の結果が学習されていた場合は、「やま」に対して「やみ」、「やむ」が派生し、「闇」、「止む」が予測候補として登録されることとなる。
【００１９】
図３において処理を開始する（“ＳＴＡＲＴ”）と、文字入力キー２０乃至２９のいずれかを１回以上押下することにより、文字が入力される（ステップ“Ｓ１”）。制御部３０は、入力された未確定の文字列に対応付けて登録されている語句の予測候補を予測候補記憶領域３３から検索する（ステップ“Ｓ２”）。１以上の予測候補が検索された場合は（ステップ“Ｓ３”の“ＹＥＳ”）、制御部３０は検索された予測候補を表示部１４に表示する（ステップ“Ｓ４”）。表示部１４の表示画面の一部に候補表示エリアを設けて、その表示を行う。
【００２０】
表示された予測候補の中に適切な語句が含まれている場合には、十字キー１６を下向きに押下すると、上述した候補表示エリアの初めの変換候補欄にカーソルが移動する。その後、十字キー１６を操作して表示画面上のカーソルを当該候補に合わせ、決定操作をする（ステップ“Ｓ５”の“ＹＥＳ”）ことによって語句が確定され（ステップ“Ｓ６”）、処理を終了する（“ＥＮＤ”）。表示された予測候補の中に適切な語句が含まれておらず、さらに文字入力を続ける必要がある場合には（ステップ“Ｓ５”の“ＮＯ”）、ステップ“Ｓ１”に戻って文字入力が続けられる。
【００２１】
ステップ“Ｓ３”において予測候補が１つも検索されない場合は（ステップ“Ｓ３”の“ＮＯ”）、制御部３０は、入力された未確定の文字列に対応付けて登録されている語句の変換候補を変換候補記憶領域３２から検索する（ステップ“Ｓ７”）。１以上の変換候補が検索された場合は（ステップ“Ｓ８”の“ＹＥＳ”）、制御部３０は検索された変換候補を表示部１４の候補表示エリアに表示する（ステップ“Ｓ９”）。表示された変換候補の中に適切な語句が含まれている場合には、上述したステップ“Ｓ５”以降の処理に移る。
【００２２】
ステップ“Ｓ８”において変換候補が１つも検索されないときは（ステップ“Ｓ８”の“ＮＯ”）、例えば無変換等の候補外の確定操作が行われて（ステップ“Ｓ１０”の“ＹＥＳ”）語句が確定される場合（ステップ“Ｓ６”）を除き（ステップ“Ｓ１０”の“ＮＯ”）、ステップ“Ｓ１”に戻って文字入力が続けられる。
【００２３】
図４及び図５を参照して、実施例１に係る文字変換処理の表示及び操作の例について説明する。図４は、実施例１に係る文字変換処理の表示及び操作のフローを説明する図である。図４（ａ）は、文字入力の準備ができた状態における表示部１４の表示画面を表す。４１は、［メッセージ］の表示エリアにおいて文字の入力位置を表すプロンプトであり、画面上のカーソルの初期位置である。なお、十字キー１６の中心を押下すると文字入力を終了する案内（図４（ａ）の「◎」表示）、現在かな入力モードである旨の案内（図４（ａ）の「あ」表示）、及び１２８バイトが入力可能であり、現在０バイト入力された旨の表示も加えてなされている。
【００２４】
図４（ｂ）は、図４（ａ）の状態において文字入力キー２１及び２３が各１回ずつ押下されたときの表示部１４の表示画面を表す。４２は入力された文字列である。制御部３０は、この文字列により予測候補記憶領域３３から検索された予測候補を、候補表示エリア４３に表示する。この例では、この段階での予測候補として、文字列「あさ」を含んで形成された「朝」、「あさって」の他、文字入力キー２３が重ねて押下され入力される文字列を含んで形成された「明日」、「遊び」等の語句も表示されている。４４はファンクションキー１９に割り当てられた画面上の変換ボタンである。図４（ｂ）の画面が表示された状態においてファンクションキー１９が押下されると、制御部３０は文字列「あさ」により変換候補記憶領域３２から変換候補を検索する。また、図４（ｂ）の表示画面においてクリアキー１８が２回押下されると、図４（ａ）の表示画面に戻る。なお、図４（ｂ）においては、十字キー１６の中心を押下すると入力された文字列が確定するための案内（図４（ｂ）の「◎」表示）、及び十字キー１６が下向きに押下されると予測候補にカーソルが合わせられる旨の案内（図４（ｂ）の「▼」表示）の表示も加えてなされている。これらの表示の意味は、以降の図においても同様である。
【００２５】
図４（ｃ）は、図４（ｂ）の状態において十字キー１６が下向きに押下され、予測候補のうち「朝」にカーソルが合わせられたときの表示部１４の表示画面を表す。候補表示エリア４３は、カーソルが合わせられた候補を除き暗い表示に変えられる。図４（ｄ）は、図４（ｃ）の状態において十字キー１６の中心が押下されたときの表示部１４の表示画面を表す。制御部３０は、図４（ｃ）の状態において十字キー１６の中心の押下により予測候補のうち「朝」が選択されたことを認識して語句「朝」を確定し、これを［メッセージ］の表示エリアに表示すると共に、プロンプト４１をそのすぐ右に表示する。なお、図４（ｃ）においては、クリアキー１８を押下するとカーソルが［メッセージ］の表示エリアに戻る旨の案内（図４（ｃ）の［Ｃｌｅａｒ］の表示）、及び現在予測候補が「あさ」の入力に対して９候補あり、そのうち１番目の優先度が付いている候補にカーソルが合わせられたものを示す案内が加えて表示されている。また、図４（ｄ）においては、「朝」が確定した段階で、全体では１２８バイト入力可能であるが、すでに８バイト入力された旨を示す案内が加えて表示されている。これらの表示の意味は、以降の図においても同様である。
【００２６】
図４（ｂ）の状態において文字入力キー２６が押下されると、語句を確定しないで文字列「あさ」に続き文字「は」が入力されたこととなる。図５は、実施例１においてその状態から続く文字変換処理の表示及び操作のフローを説明する図である。制御部３０は、文字列「あさは」により予測候補記憶領域３３を検索する。この例では、文字列「あさは」の語句への変換が学習されていなかったものとして説明する。この場合、予測候補記憶領域３３から１以上の予測候補が検索されることはない。
【００２７】
そうすると制御部３０は、文字列「あさは」により変換候補記憶領域３２から検索された変換候補を、候補表示エリア４３に表示する。図５（ａ）は、このときの表示部１４の表示画面を表す。この例では、「朝は」、「麻は」をはじめとする複数の変換候補が表示されている。これらの語句は変換候補であるから、いずれも入力された文字列通りの読みを有している。なお、図５（ａ）においては、十字キー１６の中心を押下すると入力された文字列が確定するための案内（図５（ａ）の「◎」表示）、及び十字キー１６の下向きに押下されると変換候補にカーソルが合わせられる旨の案内（図５（ａ）の「▼」表示）の表示も加えてなされている。
【００２８】
図５（ｂ）は、図５（ａ）の状態において十字キー１６が下向き及び右向きに押下され、変換候補のうち「麻は」にカーソルが合わせられたときの表示部１４の表示画面を表す。なお、図５（ｂ）の下部に表示された意味ボタン４５については、後で図７を参照して説明する。候補表示エリア４３は、カーソルが合わせられた候補を除き暗い表示に変えられる。図５（ｃ）は、図５（ｂ）の状態において十字キー１６の中心が押下されたときの表示部１４の表示画面を表す。制御部３０は、図５（ｂ）の状態において十字キー１６の中心の押下により変換候補のうち「麻は」が選択されたことを認識して語句「麻は」を確定し、これを［メッセージ］の表示エリアに表示すると共に、プロンプト４１をそのすぐ右に表示する。
【００２９】
なお、図４（ｂ）又は図５（ｂ）において、候補表示エリア４３に予測候補又は変換候補が表示される場合は暗い表示に変えられると記載したが、これに限定されることなく、予測候補が候補表示エリア４３に表示されたときと、変換候補が候補表示エリア４３に表示されたときとで背景（暗い表示に当る領域）の表示色を区別してもよいし、カーソルの色を区別してもよい。
【００３０】
従来技術の場合、上述した図４（ｂ）の状態から図５（ａ）の状態へ遷移させるためには、図４（ｂ）の変換ボタン４４に対応するファンクションキー１９を押下する操作を必要としたが、本発明ではそのような操作が不要である。また、予測候補と変換候補が同時に表示されることがないので、候補を選択するためのスクロール操作の必要を減らすことができる。
【００３１】
図６を参照して、文字変換処理に関連する学習の処理について説明する。図６は、学習の前後における候補表示エリアへの語句の表示の変化を説明する図である。図６（ａ）は，［メッセージ］の表示エリアに入力された文字列「はな」に対して、候補表示エリア４３に「花」、「鼻」等の予測候補が表示された状態を表す。なお、十字キー１６が下向きに押下されると予測候補にカーソルが合わせられる旨の案内（図６（ａ）の「▼」表示）の表示も加えてなされている。
【００３２】
このとき、図４（ｃ）及び（ｄ）において説明したのと同様にして、予測候補のうちの「羽」が選択されたものとする。そうすると図６（ｂ）において再び［メッセージ］の表示エリアに同じ文字列「はな」又はこれに関連する文字列「は」、「はに」、「はぬ」若しくは「はね」が入力されたとき、図６（ａ）で選択された「羽」が候補表示エリア４３の先頭に表示される。すなわち、最近選択された予測候補が学習の結果として、次に同じ文字列又は上記のような関連する文字列が入力されたときの予測において第１の優先順位を得る。
【００３３】
図６（ｃ）は、［メッセージ］の表示エリアに入力された文字列「ゆき」に対して、候補表示エリア４３に「雪」、「行き」等の変換候補が表示された状態を表す。なお、十字キー１６が下向きに押下されると変換候補にカーソルが合わせられる旨の案内（図６（ｃ）の「▼」表示）の表示も加えてなされている。
【００３４】
このとき、図５（ｂ）及び（ｃ）において説明したのと同様にして、変換候補のうちの「有希」が選択されたものとする。そうすると図６（ｄ）において再び［メッセージ］の表示エリアに文字列「ゆき」が入力されたとき、図６（ｃ）で選択された「有希」が候補表示エリア４３の先頭に表示される。すなわち、最近選択された変換候補が学習の結果として、次に同じ文字列が入力されたときの変換において第１の優先順位を得る。
【００３５】
図６（ｅ）は、［メッセージ］の表示エリアに確定された語句「港町」が表示され、これに続く語句として連文節変換により予測された語句「に」、「にて」等の予測候補が表示された状態において、候補に含まれない新たな文字列「から」が入力されたことを表している。なお、十字キー１６が下向きに押下されると予測候補にカーソルが合わせられる旨の案内（図６（ｅ）の「▼」表示）の表示も加えてなされている。
【００３６】
このまま確定されると、図６（ｆ）において再び［メッセージ］の表示エリアに確定された「港町」の語句が表示され、そのすぐ右にプロンプト４１が表示されたとき、図６（ｅ）において新たに入力された「から」が候補表示エリア４３の先頭に表示される。この場合には、新たに入力され確定された語句が予測の元となった語句に対応付けて予測候補変換領域３３に新たに登録され、次に同じ予測をする機会における第１の優先順位を得る。
【００３７】
図５（ｂ）に表示された意味ボタン４５について、ここで図７を参照して説明する。図７は、実施例１に係る候補の意味検索のサポートを説明する図である。図７（ａ）は、文字列「たかい」が入力され、候補表示エリア４３に変換候補が表示された状態を表している。これは、図５（ｂ）の状態に相当する。ここで十字キー１６の操作により変換候補「高い」にカーソルを合わせて、画面上の意味ボタン４５に対応するファンクションキー１９を押下すると、図７（ｂ）の画面に移る。
【００３８】
図７（ｂ）の表示画面には意味表示エリア４６が設けられ、メモリ部３１に予め登録された辞書から検索された「高い」の説明文が表示される。全文が１画面内に収まりきれない場合は、十字キー１６による下スクロール操作により続きの部分が図７（ｃ）のように表示される。図７（ｃ）から図７（ｂ）へは、逆の上スクロール操作により遷移する。なお、図７（ｂ）又は（ｃ）の画面上の戻るボタン４７に対応するファンクションキー１９を押下すると、図７（ａ）の表示画面に戻る。
【００３９】
図７（ｄ）は、文字列「たかい」が入力され、十字キー１６の操作により変換候補「高井」にカーソルが合わせられた状態を表す。ここで画面上の意味ボタン４５に対応するファンクションキー１９が押下されると、メモリ部３１に予め登録された辞書からは「高井」の意味を表す説明文が検索されないので、図７（ｅ）のように該当単語なしを表すメッセージ４８が表示される。図７（ｅ）の画面から所定の操作又はタイムアウトにより、図７（ｄ）の画面に戻る。
【００４０】
実施例１に係る情報処理装置は図１に表された携帯電話機１としたが、本発明はこれに限らず、文字変換処理を行う情報処理装置であれば適用することができる。
【００４１】
本発明の実施例１によれば、入力された文字列から予測候補が検索されない場合に、自動的に表示される変換候補の中から適切な語句を容易に選択することができる。
【実施例２】
【００４２】
以下、図８乃至図１０を参照して、本発明の実施例２を説明する。本発明の実施例２に係る情報処理装置は、実施例１において説明したのと同じ携帯電話機１である。したがって、図１及び図２も適宜参照する。
【００４３】
実施例２においては、入力部１５により「み」、「な」、「み」、「か」、「ら」、「き」、「た」の７文字からなる文字列が入力される場合について説明する。図８は、当該文字列及びその入力途中段階の部分文字列に対して、変換候補記憶領域３２及び予測候補記憶領域３３にそれぞれ記憶されている語句を表に示したものである。なお簡単のため、部分文字列は飛び飛びに表している。また、予測候補が検索される段階での変換候補の記載は省略している。
【００４４】
図９は、実施例２に係る文字変換処理の表示及び操作のフローを説明する図である。図中の符号は図４及び図５と同じであるから、説明は省略する。また、図９（ａ）は実施例１の図４（ａ）と同じ表示画面であるから、説明は省略する。
【００４５】
図９（ｂ）は、図９（ａ）の状態において文字入力キー２７が２回、文字入力キー２５が１回押下されたときの表示部１４の表示画面を表す。制御部３０は、この文字列により予測候補記憶領域３３から検索された予測候補（図８の部分文字列「みな」に対応する予測候補）を、候補表示エリア４３に表示する。
【００４６】
図９（ｃ）は、図９（ｂ）の状態において文字入力キー２７が２回押下されたときの表示部１４の表示画面を表す。制御部３０は、この文字列により予測候補記憶領域３３から検索された予測候補（図８の部分文字列「みなみ」に対応する予測候補）を、候補表示エリア４３に表示する。
【００４７】
図９（ｄ）は、図９（ｃ）の状態において文字入力キー２２及び２９が各１回ずつ押下されたときの表示部１４の表示画面を表す。制御部３０は、この文字列により予測候補記憶領域３３から検索された予測候補（図８の部分文字列「みなみから」に対応する予測候補）を、候補表示エリア４３に表示する。
【００４８】
図９（ｅ）は、図９（ｄ）の状態において文字入力キー２２が２回、文字入力キー２４が１回押下されたときの表示部１４の表示画面を表す。図８に示したように、制御部３０は入力された文字列「みなみからきた」に対する予測候補を予測候補記憶領域３３から検索することができない。そこで制御部３０は、文字列「みなみからきた」に対する変換候補を変換候補記憶領域３２から検索し、候補表示エリア４３に表示する。この場合、図８に示した「南から来た」及び「南から北」の２つの変換候補が検索され表示される。
【００４９】
図１０は、図９（ｅ）の状態において十字キー１６が下向きに押された後に続くフローを説明する図である。図１０（ａ）は、変換候補のうち「南から来た」にカーソルが合わせられたときの表示部１４の表示画面を表す。候補表示エリア４３は、カーソルが合わせられた候補を除き暗い表示に変えられる。図１０（ｂ）は、図１０（ａ）の状態において十字キー１６の中心が押下されたときの表示部１４の表示画面を表す。制御部３０は、図１０（ａ）の状態において十字キー１６の中心の押下により変換候補のうち「南から来た」が選択されたことを認識して語句「南から来た」を確定し、これを［メッセージ］の表示エリアに表示すると共に、プロンプト４１をそのすぐ右に表示する。
【００５０】
本発明の実施例２によれば、実施例１の場合より長い文字列を変換する場合であっても、実施例１と同様の効果を得ることができる。
【図面の簡単な説明】
【００５１】
【図１】本発明の実施例１に係る情報処理装置である携帯電話機の外観図。
【図２】実施例１に係る携帯電話機のブロック図。
【図３】実施例１に係る文字変換処理のフローチャート。
【図４】実施例１に係る文字変換処理の表示及び操作フロー図。
【図５】実施例１に係る文字変換処理の表示及び操作フロー図（図４の続き）。
【図６】実施例１に係る学習の前後における候補表示の変化を説明する図
【図７】実施例１に係る候補の意味検索のサポートを説明する図
【図８】本発明の実施例２に係る文字列の変換候補及び予測候補を例示する図。
【図９】実施例２に係る文字変換処理の表示及び操作フロー図。
【図１０】実施例２に係る文字変換処理の表示及び操作フロー図（図９の続き）。
【符号の説明】
【００５２】
１  携帯電話機
１１  上筐体
１２  下筐体
１３  連結部
１４  表示部
１５  入力部
１６  十字キー
１８  クリアキー
１９  ファンクションキー
２０乃至２９  文字入力キー
３０  制御部
３１  メモリ部
３２  変換候補記憶領域
３３  予測候補記憶領域
４１  表示画面上のプロンプト
４２  表示画面上の入力された文字列
４３  表示画面上の候補表示エリア
４４  表示画面上の変換ボタン
４５  表示画面上の意味ボタン
４６  意味表示エリア
４７  表示画面上の戻るボタン
４８  該当単語なしを表すメッセージ
【図１】
2006227819.tif 000003
【図２】
2006227819.tif 000004
【図３】
2006227819.tif 000005
【図４】
2006227819.tif 000006
【図５】
2006227819.tif 000007
【図６】
2006227819.tif 000008
【図７】
2006227819.tif 000009
【図８】
2006227819.tif 000010
【図９】
2006227819.tif 000011
【図１０】
2006227819.tif 000012